(57)【要約】【課題】アークの位置が変動した場合であっても投影画像の画像品位を維持できるプロジェクタ、およびプロジェクタの制御方法を提供する。【解決手段】プロジェクタ１は、光源装置４１１に所定電力で電流を供給して光源装置４１１を点灯させる点灯装置５と、投射光学系４５にて拡大投射された画像光を撮像して撮像情報を出力する撮像装置６と、点灯装置５および撮像装置６を駆動制御する制御装置７とを備える。制御装置７は、撮像情報に基づいて画像光に色ムラが生じているか否かを判定するムラ判定処理部７４と、ムラ判定処理部７４にて色ムラが生じていると判定された後、点灯装置５を駆動制御し、光源装置４１１に供給する電流を一時的に増大させる電流変動制御を実施する電流変動制御部７６１とを備える。【選択図】図１
2007240600.tif 000002
【特許請求の範囲】
【請求項１】
一対の電極間で放電発光が行われる光源装置および均一照明光学系を有し照明光束を射出する照明光学装置と、前記照明光学装置から射出された光束を複数の色光に分離する色分離光学装置と、前記色分離光学装置にて分離された色光毎に画像情報に応じてそれぞれ変調する複数の光変調装置と、前記複数の光変調装置にて変調された各変調光を合成して画像光を形成する色合成光学装置と、前記画像光を拡大投射する投射光学装置とを備えたプロジェクタであって、
前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、
前記光源装置に所定電力で電流を供給して前記光源装置を点灯させる点灯装置と、前記投射光学装置にて拡大投射された画像光を撮像して撮像情報を出力する撮像装置と、前記点灯装置および前記撮像装置を駆動制御する制御装置とを備え、
前記制御装置は、前記撮像情報に基づいて前記画像光に色ムラが生じているか否かを判定するムラ判定処理部と、前記ムラ判定処理部にて色ムラが生じていると判定された後、前記点灯装置を駆動制御し、前記光源装置に供給する前記電流を一時的に増大させる電流変動制御を実施する電流変動制御部とを備えていることを特徴とするプロジェクタ。
【請求項２】
請求項１に記載のプロジェクタにおいて、
前記ムラ判定処理部は、
前記撮像情報に基づいて前記画像光内の所定の複数位置での色度座標を算出する色度座標算出部と、
前記色度座標算出部にて算出された前記複数位置での各色度座標間の座標間距離を算出する座標間距離算出部と、
前記座標間距離算出部にて算出された座標間距離および所定の閾値を比較し前記座標間距離が前記閾値よりも大きい場合に前記画像光に色ムラが生じていると判定する色ムラ判定部とを備えていることを特徴とするプロジェクタ。
【請求項３】
請求項１または請求項２に記載のプロジェクタにおいて、
前記制御装置は、
前記ムラ判定処理部にて色ムラが生じていると判定された場合に前記点灯装置を駆動制御し前記光源装置を消灯させて再度、点灯させる再点灯制御を実施する再点灯制御部と、
前記再点灯制御が実施された回数を計測する再点灯回数計測部とを備え、
前記電流変動制御部は、前記再点灯回数計測部にて計測された計測回数と、所定の設定回数とを比較し、前記計測回数が前記設定回数に達した場合に、前記電流変動制御を実施することを特徴とするプロジェクタ。
【請求項４】
一対の電極間で放電発光が行われる光源装置および均一照明光学系を有し照明光束を射出する照明光学装置と、前記照明光学装置から射出された光束を画像情報に応じて変調する光変調装置と、前記光変調装置にて変調された変調光を拡大投射する投射光学装置とを備えたプロジェクタであって、
前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、
前記光源装置に所定電力で電流を供給して前記光源装置を点灯させる点灯装置と、前記光源装置から射出された光束が前記均一照明光学系により結像される結像位置付近において前記第１レンズアレイの前記複数のレンズ要素にて分割された各部分光束が重畳される照明領域の光束を検出して光量情報を出力する光束検出装置と、前記点灯装置および前記光束検出装置を駆動制御する制御装置とを備え、
前記制御装置は、前記光量情報に基づいて前記照明領域内に照度ムラが生じているか否かを判定するムラ判定処理部と、前記ムラ判定処理部にて照度ムラが生じていると判定された後、前記点灯装置を駆動制御し、前記光源装置に供給する前記電流を一時的に増大させる電流変動制御を実施する電流変動制御部とを備えていることを特徴とするプロジェクタ。
【請求項５】
請求項４に記載のプロジェクタにおいて、
前記ムラ判定処理部は、
前記光量情報に基づいて前記照明領域内の所定の複数位置での各光量の偏差量を算出する偏差量算出部と、
前記偏差量算出部にて算出された偏差量および所定の閾値を比較し前記偏差量が前記閾値よりも大きい場合に前記照明領域に照度ムラが生じていると判定する照度ムラ判定部とを備えていることを特徴とするプロジェクタ。
【請求項６】
請求項４または請求項５に記載のプロジェクタにおいて、
前記制御装置は、
前記ムラ判定処理部にて照度ムラが生じていると判定された場合に前記点灯装置を駆動制御し前記光源装置を消灯させて再度、点灯させる再点灯制御を実施する再点灯制御部と、
前記再点灯制御が実施された回数を計測する再点灯回数計測部とを備え、
前記電流変動制御部は、前記再点灯回数計測部にて計測された計測回数と、所定の設定回数とを比較し、前記計測回数が前記設定回数に達した場合に、前記電流変動制御を実施することを特徴とするプロジェクタ。
【請求項７】
請求項４から請求項６のいずれかに記載のプロジェクタにおいて、
前記光変調装置は、複数で構成され、
前記照明光学装置から射出された光束を前記複数の光変調装置に応じて複数の色光に分離する色分離光学装置と、前記複数の光変調装置にて変調された各変調光を合成して画像光を形成する色合成光学装置とを備えていることを特徴とするプロジェクタ。
【請求項８】
一対の電極間で放電発光が行われる光源装置および均一照明光学系を有し照明光束を射出する照明光学装置と、前記照明光学装置から射出された光束を複数の色光に分離する色分離光学装置と、前記色分離光学装置にて分離された色光毎に画像情報に応じてそれぞれ変調する複数の光変調装置と、前記複数の光変調装置にて変調された各変調光を合成して画像光を形成する色合成光学装置と、前記画像光を拡大投射する投射光学装置とを備えたプロジェクタの制御方法であって、
前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、
前記光源装置に所定電力で電流を供給して前記光源装置を点灯させる点灯装置と、前記投射光学装置にて拡大投射された画像光を撮像して撮像情報を出力する撮像装置と、前記点灯装置および前記撮像装置を駆動制御する制御装置とを備え、
前記制御装置は、
前記撮像情報に基づいて前記画像光に色ムラが生じているか否かを判定する色ムラ判定ステップと、
前記色ムラ判定ステップにて色ムラが生じていると判定した後、前記点灯装置を駆動制御し、前記光源装置に供給する前記電流を一時的に増大させる電流変動制御を実施する電流変動制御ステップとを実行することを特徴とするプロジェクタの制御方法。
【請求項９】
一対の電極間で放電発光が行われる光源装置および均一照明光学系を有し照明光束を射出する照明光学装置と、前記照明光学装置から射出された光束を画像情報に応じて変調する光変調装置と、前記光変調装置にて変調された変調光を拡大投射する投射光学装置とを備えたプロジェクタの制御方法であって、
前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、
前記光源装置に所定電力で電流を供給して前記光源装置を点灯させる点灯装置と、前記光源装置から射出された光束が前記均一照明光学系により結像される結像位置付近において前記第１レンズアレイの前記複数のレンズ要素にて分割された各部分光束が重畳される照明領域の光束を検出して光量情報を出力する光束検出装置と、前記点灯装置および前記光束検出装置を駆動制御する制御装置とを備え、
前記制御装置は、
前記光量情報に基づいて前記照明領域内に照度ムラが生じているか否かを判定する照度ムラ判定ステップと、
前記照度ムラ判定ステップにて照度ムラが生じていると判定した後、前記点灯装置を駆動制御し、前記光源装置に供給する前記電流を一時的に増大させる電流変動制御を実施する電流変動制御ステップとを実行することを特徴とするプロジェクタの制御方法。
【発明の詳細な説明】
【技術分野】
【０００１】
本発明は、プロジェクタ、およびプロジェクタの制御方法に関する。
【背景技術】
【０００２】
従来、一対の電極間で放電が行なわれる光源装置と、光源装置から射出された光束を赤、緑、青の３つの色光に分離する色分離光学装置と、分離された各色光を画像情報に応じて変調する３つの光変調装置と、変調された各色光を合成して画像光を形成する色合成光学装置と、形成した画像光を拡大投射する投射光学装置とを備えたプロジェクタが知られている。
また、このようなプロジェクタでは、光源装置から射出された光束の強度分布を均一化するために、インテグレータ照明光学系（均一照明光学系）が採用されている（例えば、特許文献１参照）。
すなわち、特許文献１に記載の均一照明光学系は、第１レンズアレイおよび第２レンズアレイと、重畳レンズとを備えている。光源装置から射出された光束は、第１レンズアレイに備えられた複数の小レンズによって複数の部分光束に分割される。複数の部分光束は、第１レンズアレイの複数の小レンズに対応する複数の小レンズを備える第２レンズアレイを通過した後に、重畳レンズによって光変調装置の画像形成領域上で重畳される。このように、光源装置から射出された光束を複数の部分光束に分割し、各部分光束を光変調装置の画像形成領域上で重畳させることで、光変調装置を照射する光の強度分布をほぼ均一にすることができる。
【０００３】
【特許文献１】特開２００３−１９５１３５号公報（図２）
【発明の開示】
【発明が解決しようとする課題】
【０００４】
ところで、上述した均一照明光学系としては、光源装置から光束が照射された際、一対の電極間で生じるアークの像（以下、アーク像と記載する）が第１レンズアレイの各小レンズ内にそれぞれ収まるように光学設計されている。このように設計することで、均一照明光学系により、第１レンズアレイの各小レンズの各像が重畳されることで光の強度分布がほぼ均一なものとなる。
しかしながら、光源ランプを点灯させた状態において、いわゆるアークジャンプやアークフリッカが生じ、一対の電極間に生じるアークの位置が変動した場合には、アーク像が第１レンズアレイの各小レンズ内からそれぞれ外れることがある。このような場合には、光源装置から射出された光束が均一照明光学系を通過した場合であっても、均一照明光学系により結像される結像位置付近において第１レンズアレイの各小レンズの像が重畳される照明領域内に照度ムラが生じてしまう。
そして、例えば、光変調装置を単板で構成した場合には、照明領域内に生じる照度ムラ、すなわち、光変調装置に照射される光束に生じる照度ムラの影響により、投影画像に照度ムラが生じる、という問題がある。
また、特許文献１に記載のように光変調装置を三板で構成した場合には、３つの色光のうち、リレー光学系を辿る色光と、リレー光学系を辿らない色光とで、照度分布が上下左右逆転するため、照明領域内に生じる照度ムラ、すなわち、各光変調装置に照射される色光毎の各光束に生じる照度ムラの影響により、各色光が合成される際の色バランスが崩れ、投影画像に色ムラが生じる、という問題がある。
【０００５】
本発明の目的は、アークの位置が変動した場合であっても投影画像の画像品位を維持できるプロジェクタ、およびプロジェクタの制御方法を提供することにある。
【課題を解決するための手段】
【０００６】
本発明のプロジェクタは、一対の電極間で放電発光が行われる光源装置および均一照明光学系を有し照明光束を射出する照明光学装置と、前記照明光学装置から射出された光束を複数の色光に分離する色分離光学装置と、前記色分離光学装置にて分離された色光毎に画像情報に応じてそれぞれ変調する複数の光変調装置と、前記複数の光変調装置にて変調された各変調光を合成して画像光を形成する色合成光学装置と、前記画像光を拡大投射する投射光学装置とを備えたプロジェクタであって、前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、前記光源装置に所定電力で電流を供給して前記光源装置を点灯させる点灯装置と、前記投射光学装置にて拡大投射された画像光を撮像して撮像情報を出力する撮像装置と、前記点灯装置および前記撮像装置を駆動制御する制御装置とを備え、前記制御装置は、前記撮像情報に基づいて前記画像光に色ムラが生じているか否かを判定するムラ判定処理部と、前記ムラ判定処理部にて色ムラが生じていると判定された後、前記点灯装置を駆動制御し、前記光源装置に供給する前記電流を一時的に増大させる電流変動制御を実施する電流変動制御部とを備えていることを特徴とする。
【０００７】
ここで、撮像装置としては、ＣＣＤ(Charge Coupled Device)やＭＯＳ(Metal Oxide Semiconductor)センサ等を撮像素子としたエリアセンサを備え撮像した画像に応じた信号（撮像情報）を出力するカメラ、画像光（投影画像）のＸＹＺ値を計測しＸＹＺ値に応じた信号（撮像情報）を出力する色光センサ、画像光のＸＹＺ値やＬａｂ値を読み取りＸＹＺ値やＬａｂ値に応じた信号（撮像情報）を出力する色彩計、画像光のガンマ値を計測しガンマ値に応じた信号（撮像情報）を出力する計測装置、画像光の色温度を計測し色温度に応じた信号（撮像情報）を出力する色温度メータ等が例示できる。
【０００８】
本発明によれば、プロジェクタは、点灯装置と、撮像装置と、制御装置とを備えているので、例えば、以下に示すように、プロジェクタを制御できる。
先ず、例えば、複数の光変調装置を駆動制御し、スクリーン上に表示される投影画像（画像光）として白画像や中間階調（グレー）の画像を表示させる。
次に、制御装置は、撮像装置を駆動制御し、スクリーン上に表示される投影画像を撮像させる。
次に、制御装置を構成するムラ判定処理部は、撮像装置から出力される撮像情報に基づいて、投影画像に色ムラが生じているか否かを判定する（色ムラ判定ステップ）。すなわち、いわゆるアークジャンプやアークフリッカが生じ、一対の電極間に生じるアークの位置が変動した場合には、上述したように、投影画像に色ムラが生じるため、投影画像に色ムラが生じているか否かをムラ判定処理部が判定することとで、アークの位置が変動したか否かを判定する。
次に、制御装置を構成する電流変動制御部は、ムラ判定処理部にて色ムラが生じていると判定された後、点灯装置を駆動制御し、光源装置に供給する電流を一時的に増大させる電流変動制御を実施する（電流変動制御ステップ）。
【０００９】
以上のように、投影画像（画像光）に色ムラが生じている、すなわち、アークの位置が変動したと判定した後、光源装置を構成する一対の電極に過電流を流す電流変動制御を実施することで、電極材料の損耗を促し、電極間の距離を長くすることができる。すなわち、電極間の距離を長くすることで、一対の電極間に生じるアーク長を長くし、アーク像が第１レンズアレイの各小レンズ内からはみ出した状態とすることができる。このため、光源装置を点灯させた状態において、いわゆるアークジャンプやアークフリッカが生じ、一対の電極間に生じるアークの位置が変動した場合であっても、アーク像が第１レンズアレイの各小レンズ内からはみ出した状態を維持できる。したがって、光変調装置に照射される色光毎の各光束に生じる照度ムラを低減し、各色光が合成される際の色バランスを崩すことなく投影画像に生じる色ムラを低減できる。
すなわち、アークの位置が変動した場合であっても投影画像の画像品位を維持でき、本発明の目的を達成できる。
【００１０】
本発明のプロジェクタでは、前記ムラ判定処理部は、前記撮像情報に基づいて前記画像光内の所定の複数位置での色度座標を算出する色度座標算出部と、前記色度座標算出部にて算出された前記複数位置での各色度座標間の座標間距離を算出する座標間距離算出部と、前記座標間距離算出部にて算出された座標間距離および所定の閾値を比較し前記座標間距離が前記閾値よりも大きい場合に前記画像光に色ムラが生じていると判定する色ムラ判定部とを備えていることが好ましい。
本発明によれば、ムラ判定処理部は、色度座標算出部と、座標間距離算出部と、色ムラ判定部とを備えているので、撮像情報に基づいて画像光内の所定の複数位置での色度座標を算出し、各色度座標間の座標間距離を算出し、座標間距離と所定の閾値とを比較することで投影画像に色ムラが生じているか否かを判定できる。このことにより、投影画像に色ムラが生じているか否かを高精度に判定でき、電流変動制御を不要に実施することなく、投影画像に生じる色ムラを効率的に低減できる。
【００１１】
本発明のプロジェクタでは、前記制御装置は、前記ムラ判定処理部にて色ムラが生じていると判定された場合に前記点灯装置を駆動制御し前記光源装置を消灯させて再度、点灯させる再点灯制御を実施する再点灯制御部と、前記再点灯制御が実施された回数を計測する再点灯回数計測部とを備え、前記電流変動制御部は、前記再点灯回数計測部にて計測された計測回数と、所定の設定回数とを比較し、前記計測回数が前記設定回数に達した場合に、前記電流変動制御を実施することが好ましい。
ところで、いわゆるアークジャンプやアークフリッカが生じ、一対の電極間に生じるアークの位置が変動した場合には、光源装置を消灯させて再度、点灯させることで、アークの位置が元の位置に戻ることがある。
本発明によれば、制御装置は、再点灯制御部を備えているので、ムラ判定処理部にて色ムラが生じている、すなわち、アークの位置が変動したと判定された場合に再点灯制御を実施することで、アークの位置を元の位置に戻すことが可能となり、電流変動制御を不要に実施することなく、投影画像に生じる色ムラを効率的に低減できる。
また、制御装置が再点灯回数計測部を備え、電流変動制御部が再点灯回数計測部にて計測された計測回数に基づいて電流変動制御を実施するので、始めに再点灯制御を実施することで投影画像に生じる色ムラを低減することを試み、再点灯制御にて投影画像に生じる色ムラを低減できない場合に最終的に電流変動制御を実施する構成を実現でき、投影画像に生じる色ムラを効率的に低減できる。
【００１２】
本発明のプロジェクタは、一対の電極間で放電発光が行われる光源装置および均一照明光学系を有し照明光束を射出する照明光学装置と、前記照明光学装置から射出された光束を画像情報に応じて変調する光変調装置と、前記光変調装置にて変調された変調光を拡大投射する投射光学装置とを備えたプロジェクタであって、前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、前記光源装置に所定電力で電流を供給して前記光源装置を点灯させる点灯装置と、前記光源装置から射出された光束が前記均一照明光学系により結像される結像位置付近において前記第１レンズアレイの前記複数のレンズ要素にて分割された各部分光束が重畳される照明領域の光束を検出して光量情報を出力する光束検出装置と、前記点灯装置および前記光束検出装置を駆動制御する制御装置とを備え、前記制御装置は、前記光量情報に基づいて前記照明領域内に照度ムラが生じているか否かを判定するムラ判定処理部と、前記ムラ判定処理部にて照度ムラが生じていると判定された後、前記点灯装置を駆動制御し、前記光源装置に供給する前記電流を一時的に増大させる電流変動制御を実施する電流変動制御部とを備えていることを特徴とする。
【００１３】
ここで、光束検出装置としては、光束を検出して光量に応じた光量情報を出力する構成であればいずれの構成でもよく、例えば、ＣＣＤやＭＯＳセンサ等の撮像素子や、フォトダイオード等の受光素子や、照度計等が例示できる。
【００１４】
本発明によれば、プロジェクタは、点灯装置と、光束検出装置と、制御装置とを備えているので、以下に示すように、プロジェクタを制御できる。
先ず、制御装置は、点灯装置を駆動制御し、光源装置を点灯させる。
次に、制御装置は、光束検出装置を駆動制御し、光源装置から射出された光束が均一照明光学系により結像される結像位置付近において第１レンズアレイの複数のレンズ要素にて分割された各部分光束が重畳される照明領域の光束を検出させる。
次に、制御装置を構成するムラ判定処理部は、光束検出装置から出力される光量情報に基づいて、照明領域内に照度ムラが生じているか否かを判定する（照度ムラ判定ステップ）。すなわち、いわゆるアークジャンプやアークフリッカが生じ、一対の電極間に生じるアークの位置が変動した場合には、上述したように、照明領域内に照度ムラが生じるため、照明領域に照度ムラが生じているか否かをムラ判定処理部が判定することで、アークの位置が変動したか否かを判定する。
次に、制御装置を構成する電流変動制御部は、ムラ判定処理部にて照度ムラが生じていると判定された後、点灯装置を駆動制御し、光源装置に供給する電流を一時的に増大させる電流変動制御を実施する（電流変動制御ステップ）。
【００１５】
以上のように、照明領域に照度ムラが生じている、すなわち、アークの位置が変動したと判定した後、光源装置を構成する一対の電極に過電流を流す電流変動制御を実施することで、電極材料の損耗を促し、電極間の距離を長くすることができる。すなわち、電極間の距離を長くすることで、一対の電極間に生じるアーク長を長くし、アーク像が第１レンズアレイの各小レンズ内からはみ出した状態とすることができる。このため、光源装置を点灯させた状態において、いわゆるアークジャンプやアークフリッカが生じ、一対の電極間に生じるアークの位置が変動した場合であっても、アーク像が第１レンズアレイの各小レンズ内からはみ出した状態を維持できる。したがって、光変調装置に照射される光束に生じる照度ムラを低減し、投影画像に生じる照度ムラを低減できる。
すなわち、アークの位置が変動した場合であっても投影画像の画像品位を維持でき、本発明の目的を達成できる。
また、光束検出装置を、均一照明光学系による結像位置付近、すなわち、光源装置から射出される光束が辿る光路中に配設して照明領域の照度ムラを判定しているので、スクリーン上に投影画像を形成する必要がなく、上述した電流変動制御をプロジェクタに実施させるために、利用者にスクリーンやプロジェクタを設置させる必要がなく、利便性の向上が図れる。また、上述したように照明領域の照度ムラを判定することで、プロジェクタが設置された環境に依存せずに照明領域の照度ムラを適切に判定できる。
【００１６】
本発明のプロジェクタでは、前記ムラ判定処理部は、前記光量情報に基づいて前記照明領域内の所定の複数位置での各光量の偏差量を算出する偏差量算出部と、前記偏差量算出部にて算出された偏差量および所定の閾値を比較し前記偏差量が前記閾値よりも大きい場合に前記照明領域に照度ムラが生じていると判定する照度ムラ判定部とを備えていることが好ましい。
本発明によれば、ムラ判定処理部は、偏差量算出部と、照度ムラ判定部とを備えているので、光量情報に基づいて照明領域内の所定の複数位置での各光量の偏差量を算出し、偏差量と所定の閾値とを比較することで照明領域に照度ムラが生じているか否かを判定できる。このことにより、照明領域に照度ムラが生じているか否かを高精度に判定でき、電流変動制御を不要に実施することなく、投影画像に生じる照度ムラを低減できる。
【００１７】
本発明のプロジェクタでは、前記制御装置は、前記ムラ判定処理部にて照度ムラが生じていると判定された場合に前記点灯装置を駆動制御し前記光源装置を消灯させて再度、点灯させる再点灯制御を実施する再点灯制御部と、前記再点灯制御が実施された回数を計測する再点灯回数計測部とを備え、前記電流変動制御部は、前記再点灯回数計測部にて計測された計測回数と、所定の設定回数とを比較し、前記計測回数が前記設定回数に達した場合に、前記電流変動制御を実施することが好ましい。
ところで、いわゆるアークジャンプやアークフリッカが生じ、一対の電極間に生じるアークの位置が変動した場合には、光源装置を消灯させて再度、点灯させることで、アークの位置が元の位置に戻ることがある。
本発明によれば、制御装置は、再点灯制御部を備えているので、ムラ判定処理部にて照度ムラが生じている、すなわち、アークの位置が変動したと判定された場合に再点灯制御を実施することで、アークの位置を元の位置に戻すことが可能となり、電流変動制御を不要に実施することなく、投影画像に生じる照度ムラを効率的に低減できる。
また、制御装置が再点灯回数計測部を備え、電流変動制御部が再点灯回数計測部にて計測された計測回数に基づいて電流変動制御を実施するので、始めに再点灯制御を実施することで投影画像に生じる照度ムラを低減することを試み、再点灯制御にて投影画像に生じる照度ムラを低減できない場合に最終的に電流変動制御を実施する構成を実現でき、投影画像に生じる照度ムラを効率的に低減できる。
【００１８】
本発明のプロジェクタでは、前記光変調装置は、複数で構成され、前記照明光学装置から射出された光束を前記複数の光変調装置に応じて複数の色光に分離する色分離光学装置と、前記複数の光変調装置にて変調された各変調光を合成して画像光を形成する色合成光学装置とを備えていることが好ましい。
本発明では、プロジェクタは、色分離光学装置および色合成光学装置を備え、光変調装置が複数で構成されている。そして、上述したように、照明領域の照度ムラを低減することで、光変調装置に照射される色光毎の各光束に生じる照度ムラを低減し、各色光が合成される際の色バランスを崩すことなく投影画像に生じる色ムラを低減できる。
【００１９】
本発明のプロジェクタの制御方法は、一対の電極間で放電発光が行われる光源装置および均一照明光学系を有し照明光束を射出する照明光学装置と、前記照明光学装置から射出された光束を複数の色光に分離する色分離光学装置と、前記色分離光学装置にて分離された色光毎に画像情報に応じてそれぞれ変調する複数の光変調装置と、前記複数の光変調装置にて変調された各変調光を合成して画像光を形成する色合成光学装置と、前記画像光を拡大投射する投射光学装置とを備えたプロジェクタの制御方法であって、前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、前記光源装置に所定電力で電流を供給して前記光源装置を点灯させる点灯装置と、前記投射光学装置にて拡大投射された画像光を撮像して撮像情報を出力する撮像装置と、前記点灯装置および前記撮像装置を駆動制御する制御装置とを備え、前記制御装置は、前記撮像情報に基づいて前記画像光に色ムラが生じているか否かを判定する色ムラ判定ステップと、前記色ムラ判定ステップにて色ムラが生じていると判定した後、前記点灯装置を駆動制御し、前記光源装置に供給する前記電流を一時的に増大させる電流変動制御を実施する電流変動制御ステップとを実行することを特徴とする。
上述した本発明のプロジェクタの制御方法は、上述したプロジェクタによって実施されるものであるので、上述したプロジェクタと同様の作用・効果を享受できる。
【００２０】
本発明のプロジェクタの制御方法は、一対の電極間で放電発光が行われる光源装置および均一照明光学系を有し照明光束を射出する照明光学装置と、前記照明光学装置から射出された光束を画像情報に応じて変調する光変調装置と、前記光変調装置にて変調された変調光を拡大投射する投射光学装置とを備えたプロジェクタの制御方法であって、前記均一照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを備え、前記光源装置に所定電力で電流を供給して前記光源装置を点灯させる点灯装置と、前記光源装置から射出された光束が前記均一照明光学系により結像される結像位置付近において前記第１レンズアレイの前記複数のレンズ要素にて分割された各部分光束が重畳される照明領域の光束を検出して光量情報を出力する光束検出装置と、前記点灯装置および前記光束検出装置を駆動制御する制御装置とを備え、前記制御装置は、前記光量情報に基づいて前記照明領域内に照度ムラが生じているか否かを判定する照度ムラ判定ステップと、前記照度ムラ判定ステップにて照度ムラが生じていると判定された後、前記点灯装置を駆動制御し、前記光源装置に供給する前記電流を一時的に増大させる電流変動制御を実施する電流変動制御ステップとを実行することを特徴とする。
上述した本発明のプロジェクタの制御方法は、上述したプロジェクタによって実施されるものであるので、上述したプロジェクタと同様の作用・効果を享受できる。
【発明を実施するための最良の形態】
【００２１】
[第１実施形態]
以下、本発明の第１の実施形態を図面に基づいて説明する。
〔プロジェクタの構成〕
図１は、プロジェクタ１の概略構成を示すブロック図である。なお、図１では、画像形成部４は、主要部のみを図示し、その他を省略している。
プロジェクタ１は、光源から射出される光束を画像情報に応じて変調して画像光を形成し、形成した画像光をスクリーンＳｃ（図１）上に拡大投射するものである。このプロジェクタ１は、図１に示すように、操作部２と、電源装置３と、画像形成部４と、点灯装置５と、撮像装置６と、制御装置７とで大略構成されている。
【００２２】
操作部２は、図示しないリモートコントローラや、プロジェクタ１に備えられたボタンやキーにより構成され、利用者による操作を認識して所定の操作信号を制御装置７に出力する。この操作部２としては、例えば、プロジェクタ１のＯＮ／ＯＦＦを実施する入力部、音量調整を実施する入力部、投影画像の画質調整を実施する入力部等で構成されている。
【００２３】
電源装置３は、外部から供給された電力をプロジェクタ１の各部に供給する。この電源装置３は、図示は省略するが、外部から供給された電力をプロジェクタ１の各部に供給する主電源と、利用者による操作部２の操作により主電源がＯＦＦした状態（スタンバイ状態）において、外部から供給された電力をプロジェクタ１の制御装置７等にのみ供給するサブ電源とで構成されている。
【００２４】
図２は、画像形成部４の概略構成を示す平面図である。
画像形成部４は、制御装置７による制御の下、画像光を形成してスクリーンＳｃに拡大投射する。この画像形成部４は、図２に示すように、照明光学装置４１、色分離光学装置４２、リレー光学系４３、光学装置４４、および投射光学装置としての投射光学系４５を備える。
照明光学装置４１は、図２に示すように、光源装置４１１と、均一照明光学系４１２とを備える。
光源装置４１１は、点灯装置５により駆動し、光源ランプ４１１１から放射された光束を一定方向に揃えて射出し、光学装置４４を照明するものである。この光源装置４１１は、一対の電極４１１１Ａ（図１）間で放電発光が行われる光源ランプ４１１１、主反射鏡４１１２、および平行化凹レンズ４１１３を備えて構成されている。
そして、光源ランプ４１１１から放射された光束は、主反射鏡４１１２により光源装置４１１の前方側に射出方向を揃えて集束光として射出され、平行化凹レンズ４１１３によって平行化され、均一照明光学系４１２に射出される。
ここで、光源ランプ４１１１としては、ハロゲンランプやメタルハライドランプ、または高圧水銀ランプが多用される。また、主反射鏡４１１２としては、図２では、楕円面リフレクタで構成しているが、光源ランプ４１１１から射出された光束を略平行化して反射するパラボラリフレクタとして構成してもよい。この場合には、平行化凹レンズ４１１３を省略する。
【００２５】
図３は、均一照明光学系４１２による光の結像状態を示す図である。なお、図３では、均一照明光学系４１２を構成する第１レンズアレイ４１２１、第２レンズアレイ４１２２、および重畳レンズ４１２４と光学装置４４を構成する液晶パネル４４２Ｒ，４４２Ｇ，４４２Ｂのみを図示し、偏光変換素子４１２３や、均一照明光学系４１２および液晶パネル４４２Ｒ，４４２Ｇ，４４２Ｂ間に配設される光学素子については図示を省略している。
図４は、均一照明光学系４１２により重畳された照明領域を示す図である。
均一照明光学系４１２は、光源装置４１１から射出された光束を複数の部分光束に分割し、光学装置４４の後述する液晶パネルの画像形成領域内での面内照度を均一化する光学系である。この均一照明光学系４１２は、第１レンズアレイ４１２１、第２レンズアレイ４１２２、偏光変換素子４１２３、および重畳レンズ４１２４を備えている。
第１レンズアレイ４１２１は、図３に示すように、照明光軸Ａと直交する面内にマトリクス状に配列される複数のレンズ要素としての小レンズＬ１，Ｌ２，Ｌ３等を有し、各小レンズＬ１，Ｌ２，Ｌ３等により光源装置４１１から射出された光束を複数の部分光束に分割する。
第２レンズアレイ４１２２は、図３に示すように、第１レンズアレイ４１２１と同様に照明光軸Ａに直交する面内にマトリクス状に配列される複数の小レンズを備えた構成を有し、第１レンズアレイ４１２１により分割された複数の部分光束を集束する。
【００２６】
偏光変換素子４１２３は、第１レンズアレイ４１２１により分割された各部分光束の偏光方向を略一方向の直線偏光に揃える。
この偏光変換素子４１２３は、図示を略したが、照明光軸Ａに対して傾斜配置される偏光分離膜および反射ミラーを交互に配列した構成を具備する。偏光分離膜は、各部分光束に含まれるＰ偏光光束およびＳ偏光光束のうち、一方の偏光光束を透過し、他方の偏光光束を反射する。反射された他方の偏光光束は、反射ミラーによって曲折され、一方の偏光光束の射出方向、すなわち照明光軸Ａに沿った方向に射出される。射出された偏光光束のいずれかは、偏光変換素子４１２３の光束射出面に設けられる位相差板によって偏光変換され、略全ての偏光光束の偏光方向が揃えられる。このような偏光変換素子４１２３を用いることにより、光源ランプ４１１１から射出される光束を、略一方向の偏光光束に揃えることができるため、光学装置４４で利用する光源光の利用効率を向上できる。
【００２７】
重畳レンズ４１２４は、図３に示すように、第１レンズアレイ４１２１、第２レンズアレイ４１２２、および偏光変換素子４１２３を経た複数の部分光束を集光して光学装置４４の３つの液晶パネル４４２Ｒ，４４２Ｇ，４４２Ｂの画像形成領域上に重畳させる光学素子である。
そして、上述した均一照明光学系４１２は、図３または図４に示すように、液晶パネル４４２Ｒ，４４２Ｇ，４４２Ｂの配設位置近傍に結像位置ＦＧ（図３）が位置するとともに、第１レンズアレイ４１２１の各小レンズＬ１，Ｌ２，Ｌ３等の像が重畳する照明領域ＡＧが液晶パネル４４２Ｒ，４４２Ｇ，４４２Ｂの画像形成領域Ａｒ（図４）よりも所定のマージン量だけ大きくなるように光学設計されている。
【００２８】
色分離光学装置４２は、２枚のダイクロイックミラー４２１，４２２と、反射ミラー４２３とを備え、ダイクロイックミラー４２１，４２２により均一照明光学系４１２から射出された複数の部分光束を、赤（Ｒ）、緑（Ｇ）、青（Ｂ）の３色の色光に分離する機能を具備する。
ダイクロイックミラー４２１，４２２は、基板上に所定の波長領域の光束を反射し、他の波長領域の光束を透過する波長選択膜が形成された光学素子である。そして、光路前段に配置されるダイクロイックミラー４２１は、青色光を反射し、その他の色光を透過するミラーである。また、光路後段に配置されるダイクロイックミラー４２２は、緑色光を反射し、赤色光を透過するミラーである。
【００２９】
リレー光学系４３は、入射側レンズ４３１と、リレーレンズ４３２と、反射ミラー４３３，４３４とを備え、色分離光学装置４２を構成するダイクロイックミラー４２１，４２２を透過した赤色光を光学装置４４まで導く機能を有している。なお、赤色光の光路にこのようなリレー光学系４３が設けられているのは、赤色光の光路の長さが他の色光の光路の長さよりも長いため、光の発散等による光の利用効率の低下を防止するためである。本実施形態においては赤色光の光路の長さが長いのでこのような構成とされているが、青色光の光路の長さを長くしてリレー光学系４３を青色光の光路に用いる構成も考えられる。
【００３０】
上述したダイクロイックミラー４２１により分離された青色光は、反射ミラー４２３により曲折された後、フィールドレンズ４４１を介して光学装置４４に供給される。また、ダイクロイックミラー４２２により分離された緑色光は、そのままフィールドレンズ４４１を介して光学装置４４に供給される。さらに、赤色光は、リレー光学系４３を構成するレンズ４３１，４３２および反射ミラー４３３，４３４により集光、曲折されてフィールドレンズ４４１を介して光学装置４４に供給される。なお、光学装置４４の各色光の光路前段に設けられるフィールドレンズ４４１は、第２レンズアレイ４１２２から射出された各部分光束を、各部分光束の主光線に対して平行な光束に変換するために設けられている。
【００３１】
光学装置４４は、入射した光束を画像情報に応じて変調して画像光（カラー画像）を形成するものである。この光学装置４４は、照明対象となる光変調装置としての液晶パネル４４２Ｒ，４４２Ｇ，４４２Ｂ（赤色光側の液晶パネルを４４２Ｒ、緑色光側の液晶パネルを４４２Ｇ、青色光側の液晶パネルを４４２Ｂとする）と、色合成光学装置としてのクロスダイクロイックプリズム４４３とを備えて構成される。なお、フィールドレンズ４４１および各液晶パネル４４２Ｒ，４４２Ｇ，４４２Ｂの間には、入射側偏光板４４４が介在配置され、各液晶パネル４４２Ｒ，４４２Ｇ，４４２Ｂおよびクロスダイクロイックプリズム４４３の間には、射出側偏光板４４５が介在配置され、入射側偏光板４４４、液晶パネル４４２Ｒ，４４２Ｇ，４４２Ｂ、および射出側偏光板４４５によって入射する各色光の光変調が行なわれる。
【００３２】
液晶パネル４４２Ｒ，４４２Ｇ，４４２Ｂは、一対の透明なガラス基板に電気光学物質である液晶を密閉封入したものであり、例えば、ポリシリコンＴＦＴ（Thin Film Transistor）をスイッチング素子として、制御装置７による制御の下、入射側偏光板４４４から射出された偏光光束の偏光方向を変調する。
クロスダイクロイックプリズム４４３は、射出側偏光板４４５から射出された色光毎に変調された光学像を合成してカラー画像を形成する光学素子である。このクロスダイクロイックプリズム４４３は、４つの直角プリズムを貼り合わせた平面視略正方形状をなし、直角プリズム同士を貼り合わせた界面には、誘電体多層膜が形成されている。略Ｘ字状の一方の誘電体多層膜は、赤色光を反射するものであり、他方の誘電体多層膜は、青色光を反射するものであり、これらの誘電体多層膜によって赤色光および青色光は曲折され、緑色光の進行方向と揃えられることにより、３つの色光が合成される。
そして、クロスダイクロイックプリズム４４３から射出されたカラー画像は、投射光学系４５によって拡大投射され、スクリーンＳｃ上で大画面画像を形成する。
【００３３】
点灯装置５は、制御装置７による制御の下、光源装置４１１を駆動して点灯させる。この点灯装置５は、図１に示すように、イグナイタ部５１と、インバータ部５２と、電流制御部５３と、直流電源部５４とを備えている。
イグナイタ部５１は、図示しない昇圧回路を備えており、光源ランプ４１１１の始動時に、一対の電極４１１１Ａ間に高電圧のパルス電圧を印加して絶縁破壊し、放電経路を作る。
インバータ部５２および電流制御部５３は、光源ランプ４１１１に所定電力および所定周波数で電流を供給する部分である。具体的に、インバータ部５２は、図示しないスイッチング素子を備えており、スイッチング素子が制御装置７からの信号に応じて駆動することによって、直流電源部５４からの直流電流を所定の周波数の矩形波交流電流に変換する。電流制御部５３は、制御装置７による制御の下、光源ランプ４１１１に供給する電流を一時的に増大させる。
【００３４】
撮像装置６は、制御装置７による制御の下、スクリーンＳｃに拡大投射された投影画像（画像光）を撮像する部分である。この撮像装置６としては、例えば、ＣＣＤを撮像素子としたエリアセンサを備えたＣＣＤカメラを採用できる。そして、本実施形態では、撮像装置６は、投影画像のうち、赤色の波長領域の光束を撮像するＲ色光用ＣＣＤ、緑色の波長領域の光束を撮像するＧ色光用ＣＣＤ、および青色の波長領域の光束を撮像するＢ色光用ＣＣＤを備えた、いわゆる３ＣＣＤカメラで構成され、各ＣＣＤで撮像した投影画像に応じた撮像情報としての各信号を制御装置７に出力する。
【００３５】
制御装置７は、例えば、ＣＰＵ(Central Processing Unit)等を含んで構成され、記憶部７７に記憶されたプログラムにしたがって、プロジェクタ１全体を制御する部分である。この制御装置７は、図１に示すように、信号入力部７１と、液晶パネル駆動制御部７２と、フレームメモリ７３と、ムラ判定処理部７４と、再点灯回数計測部７５と、点灯装置駆動制御部７６と、記憶部７７とを備える。
信号入力部７１は、各種外部機器から出力される画像信号等を入力し、液晶パネル駆動制御部７２にて処理可能な画像信号に変換して出力する。そして、信号入力部７１から出力された画像信号（デジタル画像信号）は、フレームメモリ７３に一時的に記録される。
【００３６】
液晶パネル駆動制御部７２は、信号入力部７１から出力されフレームメモリ７３に順次記憶されるデジタル画像信号を適宜読み出して、読み出したデジタル画像信号に対して所定の処理を施し、処理を施した画像に対応する画像情報としての駆動信号を液晶パネル４４２Ｒ，４４２Ｇ，４４２Ｂに出力して所定の光学像を形成させる。この液晶パネル駆動制御部７２における前記所定の処理としては、例えば、拡大・縮小等の画像サイズ調整処理、台形歪補正処理、画質調整処理、ガンマ補正処理等がある。これらの各処理は、周知の技術であるので詳細な説明は省略する。
【００３７】
図５は、光源ランプ４１１１から射出され主反射鏡４１１２を介して第１レンズアレイ４１２１に飲み込まれるアーク像Ｄの状態の一例を示す図である。
ところで、均一照明光学系４１２としては、図５の例（実線）に示すように、光源装置４１１から光束が照射された際、一対の電極４１１１Ａ間に生じるアークの像（以下、アーク像Ｄと記載する）が第１レンズアレイ４１２１の各小レンズＬ１，Ｌ２，Ｌ３等内にそれぞれ収まるように光学設計されている。このように設計することで、均一照明光学系４１２により、第１レンズアレイ４１２１の各小レンズＬ１，Ｌ２，Ｌ３等の各像が重畳されることで照明領域ＡＧ（図４）内の照度分布を均一化している。
【００３８】
図６は、アークのずれ量、投影画像における左右位置の照度比、および投影画像に生じる色ムラの関係の一例を示す図である。
図７は、図６の関係を説明するための図である。具体的に、図７（Ａ）は、アークのずれ方向を示す図である。図７（Ｂ）は、投影画像の照度を測定した位置を示す図である。
図８は、図６の関係に基づいてアークのずれ量および投影画像に生じる色ムラの関係をグラフ化した図である。
図９は、色ムラ値の算出方法を説明するための図である。
しかしながら、光源ランプ４１１１を点灯させた状態において、いわゆるアークジャンプやアークフリッカが生じ、一対の電極４１１１Ａ間に生じるアークの位置が変動した場合には、図５の例（破線）に示すように、アーク像Ｄが第１レンズアレイ４１２１の各小レンズＬ１，Ｌ２，Ｌ３等内からそれぞれ外れてしまう。このような場合には、図６の例に示すように、投影画像の左側の位置Ｐ１（図７）と右側の位置Ｐ２（図７）において照度が異なるものとなる。
【００３９】
例えば、リレー光学系４３を辿ることのないＧ，Ｂ色光については、図６の例に示すように、アークのずれ量が光射出後方側である−側（図７）に向うにしたがって、投影画像の左側の位置Ｐ１の照度が右側の位置Ｐ２の照度よりも低くなり、照度比（左側の位置Ｐ１の照度／右側の位置Ｐ２の照度）が小さくなる。また、アークのずれ量が光射出前方側である＋側（図７）に向うにしたがって、投影画像の左側の位置Ｐ１の照度が右側の位置Ｐ２の照度よりも高くなり、照度比が大きくなる。
また、Ｒ色光については、リレー光学系４３を辿るため、Ｒ色光の照度分布は、リレー光学系４３を辿ることのない２つのＧ，Ｂ色光の照度分布に対して上下左右が逆転する。このため、Ｒ色光については、図６の例に示すように、アークのずれ量が−側に向うにしたがって、投影画像の左側の位置Ｐ１の照度が右側の位置Ｐ２の照度よりも高くなり、照度比が大きくなる。また、アークのずれ量が＋側に向うにしたがって、投影画像の左側の位置Ｐ１の照度が右側の位置Ｐ２の照度よりも低くなり、照度比が小さくなる。
【００４０】
以上のように、リレー光学系４３を辿ることのない２つの色光（Ｇ，Ｂ）と、リレー光学系４３を辿る色光（Ｒ）との間で、照度分布が異なるため、アークのずれにより各色光に照度ムラが生じた場合には、各色光が合成される際の色バランスが崩れ、投影画像に色ムラが生じることとなる。図６の例に示す色ムラ値は、以下に示すように、算出されたものである。
すなわち、投影画像として白画像を表示している状態において、図９に示すように、投影画像の左側の位置Ｐ１での色度座標Ｃ１、および右側の位置Ｐ２での色度座標Ｃ２をそれぞれ算出する。そして、各色度座標間の座標間距離Ｄｓを、色ムラ値として算出している。
そして、図６の例や、図８の例に示すように、アークのずれ量が−側または＋側に向うにしたがって、色ムラ値が増加していくことがわかる。
【００４１】
以上のことを踏まえて、ムラ判定処理部７４は、投影画像の色ムラ値を算出し、算出した色ムラ値を所定の閾値と比較することで、アークのずれ量が許容範囲内であるか否かを判定する。このムラ判定処理部７４は、図１に示すように、色度座標算出部７４１と、座標間距離算出部７４２と、色ムラ判定部７４３とを備える。
色度座標算出部７４１は、撮像装置６にて撮像された画像に対して所定の画像処理を施し、上述した各位置Ｐ１，Ｐ２での各色度座標Ｃ１，Ｃ２を算出する。そして、色度座標算出部７４１は、算出した各色度座標Ｃ１，Ｃ２に応じた信号を座標間距離算出部７４２に出力する。
座標間距離算出部７４２は、色度座標算出部７４１にて算出された各色度座標Ｃ１，Ｃ２に基づいて、各色度座標Ｃ１，Ｃ２間の座標間距離Ｄｓを算出する。そして、座標間距離算出部７４２は、算出した座標間距離Ｄｓに応じた信号を色ムラ判定部７４３に出力する。
色ムラ判定部７４３は、記憶部７７に記憶された色ムラ閾値に関する情報を読み出し、座標間距離算出部７４２にて算出された座標間距離Ｄｓと読み出した色ムラ閾値とを比較し、座標間距離Ｄｓが色ムラ閾値よりも大きい場合に、投影画像に色ムラが生じていると判定する。そして、色ムラ判定部７４３は、投影画像に色ムラが生じていると判定した場合には、所定の信号を点灯装置駆動制御部７６に出力する。
【００４２】
点灯装置駆動制御部７６は、点灯装置５を駆動制御する部分である。なお、以下では、点灯装置駆動制御部７６の機能のうち、投影画像に色ムラが生じている場合での処理機能のみを説明する。この点灯装置駆動制御部７６は、図１に示すように、電流変動制御部７６１と、再点灯制御部７６２等を備える。
再点灯制御部７６２は、ムラ判定処理部７４から出力される信号、すなわち、投影画像に色ムラが生じている旨の信号を入力した場合に、点灯装置５を駆動制御し、光源ランプ４１１１を消灯させて、再度、点灯する再点灯制御を実施する。
【００４３】
電流変動制御部７６１は、再点灯回数計測部７５にて計測された計測回数と、記憶部７７に記憶された所定の設定回数とを比較し、計測回数が設定回数に達した場合に、点灯装置５を駆動制御し、電流制御部５３に、光源ランプ４１１１に供給する電流を一時的に増大させる電流変動制御を実施する。
【００４４】
図１０は、電流変動制御を実施した後での光源ランプ４１１１から射出され主反射鏡４１１２を介して第１レンズアレイ４１２１に飲み込まれるアーク像Ｄの状態の一例を示す図である。
上述した電流変動制御を実施した場合には、一対の電極４１１１Ａ間に一時的に過電流が流されることとなり、一対の電極４１１１Ａの先端部分が損耗して一対の電極４１１１Ａの先端間が長くなる。すなわち、一対の電極４１１１Ａ間に生じるアーク長が長くなる。このようにアーク長が長くなった場合には、図１０の例に示すように、アーク像Ｄが第１レンズアレイ４１２１の各小レンズＬ１，Ｌ２，Ｌ３等内からはみ出した状態となる。このような状態では、光源ランプ４１１１を点灯させた状態において、いわゆるアークジャンプやアークフリッカが生じ、一対の電極４１１１Ａ間に生じるアークの位置が変動した場合であっても、アーク像Ｄが第１レンズアレイ４１２１の各小レンズＬ１，Ｌ２，Ｌ３等内からはみ出した状態が継続する。すなわち、上述した電流変動制御を実施することにより、アークがずれた場合であっても、各色光の照度ムラを抑制し、ひいては、投影画像の色ムラを軽減する。
【００４５】
再点灯回数計測部７５は、再点灯制御部７６２により実施される再点灯制御の回数、すなわち、光源ランプ４１１１の再点灯回数を計測する。そして、再点灯回数計測部７５は、計測した計測回数に応じた信号を電流変動制御部７６１に出力する。
記憶部７７は、制御装置７の所定の制御プログラム、色ムラ閾値に関する情報、および所定の設定回数に関する情報等を記憶する部分である。
なお、本実施形態では、色ムラ閾値としては、0.025に設定されている。
【００４６】
〔プロジェクタの制御方法〕
次に、上述した制御装置７によるプロジェクタ１の制御方法を図面に基づいて説明する。なお、以下では、上述した電流変動制御および再点灯制御を主に説明し、その他の制御については、説明を省略する。
図１１は、プロジェクタ１の制御方法を説明するフローチャートである。
先ず、プロジェクタ１の利用者により操作部２が操作されプロジェクタ１の電源がＯＮされると（処理Ｓ１）、制御装置７は、記憶部７７に記憶された制御プログラムにしたがって、以下の処理を実施する。
すなわち、制御装置７は、点灯装置５を駆動制御して光源ランプ４１１１を点灯させるとともに、各液晶パネル４４２Ｒ，４４２Ｇ，４４２Ｂに白画像を表示する旨の画像信号を出力し、画像形成部４からスクリーンＳｃ上に白画像を拡大投射させる（処理Ｓ２）。そして、スクリーンＳｃ上には、白画像の投影画像が形成される。
【００４７】
処理Ｓ２の後、制御装置７は、所定の制御指令を撮像装置６に出力し、撮像装置６にスクリーンＳｃ上の投影画像を撮像させる（処理Ｓ３）。そして、撮像装置６は、撮像した画像に応じた撮像情報としての信号を制御装置７に出力する。
処理Ｓ３の後、制御装置７のムラ判定処理部７４は、撮像装置６から出力される信号に基づいて、投影画像に色ムラが生じているか否かを判定する（処理Ｓ４：色ムラ判定ステップ）。
具体的には、色度座標算出部７４１は、撮像装置６にて撮像された画像に所定の画像処理を施し、位置Ｐ１，Ｐ２における各色度座標Ｃ１，Ｃ２を算出する。次に、座標間距離算出部７４２は、位置Ｐ１，Ｐ２における各色度座標Ｃ１，Ｃ２間の座標間距離Ｄｓを算出する。そして、色ムラ判定部７４３は、記憶部７７に記憶された色ムラ閾値（本実施形態では、0.025）を読み出し、座標間距離Ｄｓが色ムラ閾値よりも大きいか否かを判定することで、投影画像に色ムラが生じているか否かを判定する。
【００４８】
処理Ｓ４において、制御装置７は、「Ｎ」と判定した場合、すなわち、座標間距離Ｄｓが色ムラ閾値よりも小さく投影画像に色ムラが生じていないと判定した場合には、電流変動制御および再点灯制御を実施せずに、通常のモードに移行し該モードでプロジェクタ１を駆動制御する。
【００４９】
一方、処理Ｓ４において、制御装置７は、「Ｙ」と判定した場合、すなわち、座標間距離Ｄｓが色ムラ閾値よりも大きく投影画像に色ムラが生じていると判定した場合には、再点灯制御部７６２が点灯装置５を駆動制御し、再点灯制御を実施する（処理Ｓ５）。
処理Ｓ５の後、再点灯回数計測部７５は、計測回数を１だけ増加させる（処理Ｓ６）。そして、再点灯回数計測部７５は、計測回数に応じた信号を電流変動制御部７６１に出力する。
【００５０】
処理Ｓ６の後、電流変動制御部７６１は、記憶部７７に記憶された設定回数を読み出し、再点灯回数計測部７５にて計測された計測回数と、設定回数とを比較し、計測回数が設定回数に達したか否かを判定する（処理Ｓ７）。
処理Ｓ７において、制御装置７は、「Ｎ」と判定した場合、すなわち、計測回数が設定回数に達していないと判定した場合には、処理Ｓ２に戻り、再度、処理Ｓ２〜Ｓ７を繰り返し実施する。なお、制御装置７は、処理Ｓ２〜Ｓ７を繰り返し実施している際に、処理Ｓ４において、「Ｎ」と判定した場合、すなわち、座標間距離Ｄｓが色ムラ閾値よりも小さく投影画像に色ムラが生じていないと判定した場合には、通常のモードに移行し該モードでプロジェクタ１を駆動制御する。
【００５１】
処理Ｓ２〜Ｓ７を繰り返し実施した結果、処理Ｓ７において、制御装置７は、「Ｙ」と判定した場合、すなわち、計測回数が設定回数に達したと判定した場合には、電流変動制御部７６１が点灯装置５を駆動制御し、電流変動制御を実施する（処理Ｓ８：電流変動制御ステップ）。
処理Ｓ８の後、制御装置７は、再度、処理Ｓ２に戻り、処理Ｓ４にて投影画像に色ムラが生じているか否かを確認する。すなわち、制御装置７は、投影画像に色ムラが生じない状態（座標間距離Ｄｓが色ムラ閾値よりも小さい状態）となるまで、処理Ｓ８にて電流変動制御を実施する。
【００５２】
上述した第１実施形態によれば、以下の効果がある。
本実施形態では、点灯装置５と、撮像装置６と、制御装置７とを備えているので、投影画像に色ムラが生じている、すなわち、アークの位置が変動したと判定した後、光源装置４１１を構成する一対の電極４１１１Ａに過電流を流す電流変動制御を実施することで、電極材料の損耗を促し、電極４１１１Ａ間の距離を長くすることができる。すなわち、電極４１１１Ａ間の距離を長くすることで、一対の電極４１１１Ａ間に生じるアーク長を長くし、アーク像Ｄが第１レンズアレイ４１２１の各小レンズＬ１，Ｌ２，Ｌ３等内からはみ出した状態とすることができる。このため、光源装置４１１を点灯させた状態において、いわゆるアークジャンプやアークフリッカが生じ、一対の電極４１１１Ａ間に生じるアークの位置が変動した場合であっても、アーク像Ｄが第１レンズアレイ４１２１の各小レンズＬ１，Ｌ２，Ｌ３等内からはみ出した状態を維持できる。したがって、各液晶パネル４４２Ｒ，４４２Ｇ，４４２Ｂに照射される色光毎の各光束に生じる照度ムラを低減し、各色光が合成される際の色バランスを崩すことなく投影画像に生じる色ムラを低減できる。
【００５３】
ここで、制御装置７を構成するムラ判定処理部７４は、色度座標算出部７４１と、座標間距離算出部７４２と、色ムラ判定部７４３とを備えているので、撮像装置６にて撮像された画像内の各位置Ｐ１，Ｐ２での色度座標Ｃ１，Ｃ２を算出し、各色度座標Ｃ１，Ｃ２間の座標間距離Ｄｓを算出し、座標間距離Ｄｓと色ムラ閾値とを比較することで投影画像に色ムラが生じているか否かを判定できる。このことにより、投影画像に色ムラが生じているか否かを高精度に判定でき、電流変動制御を不要に実施することなく、投影画像に生じる色ムラを効率的に低減できる。
【００５４】
ところで、いわゆるアークジャンプやアークフリッカが生じ、一対の電極４１１１Ａ間に生じるアークの位置が変動した場合には、光源装置４１１を消灯させて再度、点灯させることで、アークの位置が元の位置に戻ることがある。
本実施形態では、制御装置７は、再点灯制御部７６２を備えているので、ムラ判定処理部７４にて色ムラが生じている、すなわち、アークの位置が変動したと判定された場合に再点灯制御を実施することで、アークの位置を元の位置に戻すことが可能となり、電流変動制御を不要に実施することなく、投影画像に生じる色ムラを効率的に低減できる。
【００５５】
また、制御装置７が再点灯回数計測部７５を備え、電流変動制御部７６１が再点灯回数計測部７５にて計測された計測回数に基づいて電流変動制御を実施するので、始めに再点灯制御を実施することで投影画像に生じる色ムラを低減することを試み、再点灯制御にて投影画像に生じる色ムラを低減できない場合に最終的に電流変動制御を実施する構成を実現でき、投影画像に生じる色ムラを効率的に低減できる。
【００５６】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、制御装置７は、撮像装置６にて撮像された画像に基づいて、投影画像に色ムラが生じているか否かを判定し、色ムラが生じている場合に再点灯制御および電流変動制御を実施している。
これに対して第２実施形態では、プロジェクタ１Ａは、画像形成部４における所定の光路中に挿抜可能とする光束検出装置としての複数の受光素子８を備える。そして、制御装置７Ａを構成するムラ判定処理部７４Ａは、複数の受光素子８にて検出された光束の光量に基づいて、照度ムラが生じているか否かを判定し、照度ムラが生じている場合に再点灯制御および電流変動制御を実施する。すなわち、複数の受光素子８を設ける点、およびムラ判定処理部７４Ａの処理機能が異なるのみであり、その他の構成は前記第１実施形態と同様である。
【００５７】
具体的に、図１２は、第２実施形態におけるプロジェクタ１Ａの概略構成を示すブロック図である。なお、図１２では、図１と同様に、画像形成部４は、主要部のみを図示し、その他を省略している。
図１３は、画像形成部４における複数の受光素子８の配設位置を説明するための図である。
複数の受光素子８は、図１３に示すように、画像形成部４の光路中に着脱自在とする挿抜部材８Ａに配設され、挿抜部材８Ａを介して画像形成部４内に取り付けた際に制御装置７Ａと電気的に接続する。ここで、複数の受光素子８の配設位置、すなわち、挿抜部材８Ａの配設位置としては、以下の位置が採用できる。
すなわち、前記配設位置としては、光源装置４１１から射出された光束が均一照明光学系４１２により結像される結像位置付近が例示できる。ここで、前記結像位置としては、図１２に示すように、液晶パネル４４２Ｒ，４４２Ｇ，４４２Ｂの配設位置近傍（例えば、液晶パネル４４２Ｒ，４４２Ｇ，４４２Ｂの光路前段の各位置ＰＲ，ＰＧ，ＰＢ）や、入射側レンズ４３１の配設位置近傍（例えば、入射側レンズ４３１の光路前段の位置ＰＬ）が例示できる。
【００５８】
そして、複数の受光素子８は、挿抜部材８Ａを介して、均一照明光学系４１２の結像位置付近である各位置ＰＲ，ＰＧ，ＰＢ，ＰＬ（図１２）のうちいずれかの位置に配設される。なお、本実施形態では、図１３に示すように、複数の受光素子８は、挿抜部材８Ａを介して位置ＰＧに配設される構成を採用している。また、複数の受光素子８は、結像位置付近において、図４に示すように、第１レンズアレイ４１２１の各小レンズＬ１，Ｌ２，Ｌ３の像が重畳する照明領域ＡＧ内の前記第１実施形態で説明した各位置Ｐ１，Ｐ２に応じた各位置Ｐ３，Ｐ４にそれぞれ配設される。すなわち、本実施形態では、複数の受光素子８は、２つで構成されている。
【００５９】
以上説明した複数の受光素子８は、制御装置７Ａによる制御の下、照明領域ＡＧ内の各位置Ｐ３，Ｐ４の光束を受光し、受光した光量に応じた光量情報としての受光信号を制御装置７Ａに出力する。この受光素子８としては、例えば、フォトダイオード等を採用できる。
【００６０】
前記第１実施形態で説明したように（図６，図７）、アークのずれにより各色光に照度ムラが生じる。そして、本実施形態では、このことを踏まえて、ムラ判定処理部７４Ａは、複数の受光素子８にて受光した各光量に基づいて照度ムラを判定することで、アークのずれ量が許容範囲内であるか否かを判定する。このムラ判定処理部７４Ａは、図１２に示すように、偏差量算出部７４２Ａと、照度ムラ判定部７４３Ａとを備える。
偏差量算出部７４２Ａは、照明領域ＡＧの各位置Ｐ３，Ｐ４での各受光素子８にて受光された各光量を認識し、各光量の偏差量を算出する。そして、偏差量算出部７４２Ａは、算出した各光量の偏差量に応じた信号を照度ムラ判定部７４３Ａに出力する。
照度ムラ判定部７４３Ａは、記憶部７７Ａに記憶された偏差量閾値に関する情報を読み出し、偏差量算出部７４２Ａにて算出された偏差量と読み出した偏差量閾値とを比較し、偏差量が偏差量閾値よりも大きい場合に、照明領域ＡＧに照度ムラが生じていると判定する。そして、照度ムラ判定部７４３Ａは、照明領域ＡＧに照度ムラが生じていると判定した場合には、所定の信号を点灯装置駆動制御部７６に出力する。
【００６１】
なお、本実施形態では、記憶部７７Ａは、制御装置７Ａの所定の制御プログラム、偏差量閾値に関する情報、および所定の設定回数に関する情報等を記憶するものとする。
【００６２】
次に、第２実施形態におけるプロジェクタ１Ａの制御方法を図面に基づいて説明する。第２実施形態におけるプロジェクタ１Ａの制御方法は、前記第１実施形態で説明した制御方法と略同様であり、以下では、適宜、簡略化して説明する。
図１４は、プロジェクタ１Ａの制御方法を説明するフローチャートである。
なお、以下では、複数の受光素子８を、挿抜部材８Ａを介して、画像形成部４の光路中（位置ＰＧ）に取り付けた状態とし、複数の受光素子８と制御装置７Ａとが電気的に接続された状態とする。
先ず、電源がＯＮされると（処理Ｓ１）、制御装置７Ａは、記憶部７７Ａに記憶された制御プログラムにしたがって、以下の処理を実施する。
すなわち、制御装置７Ａは、点灯装置５を駆動制御して光源ランプ４１１１を点灯させる（処理Ｓ２Ａ）。
【００６３】
処理Ｓ２Ａの後、制御装置７Ａは、所定の制御指令を複数の受光素子８に出力し、複数の受光素子８に照明領域ＡＧの各位置Ｐ３，Ｐ４での光量を検出させる（処理Ｓ３Ａ）。そして、複数の受光素子８は、受光した光量に応じた光量情報としての各受光信号を制御装置７Ａに出力する。
処理Ｓ１３の後、制御装置７Ａのムラ判定処理部７４Ａは、複数の受光素子８にて受光された各光量に基づいて、照明領域ＡＧに照度ムラが生じているか否かを判定する（処理Ｓ４Ａ：照度ムラ判定ステップ）。
具体的には、偏差量算出部７４２Ａは、複数の受光素子８にて受光された各位置Ｐ３，Ｐ４における各光量を認識し、各光量の偏差量を算出する。そして、照度ムラ判定部７４３Ａは、記憶部７７Ａに記憶された偏差量閾値を読み出し、偏差量が偏差量閾値よりも大きいか否かを判定することで、照明領域ＡＧに照度ムラが生じているか否かを判定する。
【００６４】
処理Ｓ４Ａにおいて、制御装置７Ａは、「Ｎ」と判定した場合、すなわち、偏差量が偏差量閾値よりも小さく照明領域ＡＧに照度ムラが生じていないと判定した場合には、電流変動制御および再点灯制御を実施せずに、通常のモードに移行し該モードでプロジェクタ１Ａを駆動制御する。
【００６５】
一方、処理Ｓ４Ａにおいて、制御装置７Ａは、「Ｙ」と判定した場合、すなわち、偏差量が偏差量閾値よりも大きく照明領域ＡＧに照度ムラが生じていると判定した場合には、前記第１実施形態と同様の処理（処理Ｓ５〜Ｓ８）を実施する。
【００６６】
上述した第２実施形態によれば、均一照明光学系４１２による結像位置付近に配設した複数の受光素子８にて照明領域ＡＧの光束を受光させ、受光させた光量に基づいて照明領域ＡＧの照度ムラを判定し、判定した結果に基づいて電流変動制御や再点灯制御を実施するので、前記第１実施形態と略同様の効果を奏する。
また、複数の受光素子８を、均一照明光学系４１２による結像位置付近、すなわち、光源装置４１１から射出される光束が辿る光路中に配設して照明領域ＡＧの照度ムラを判定しているので、スクリーンＳｃ上に投影画像を形成する必要がなく、上述した電流変動制御や再点灯制御をプロジェクタ１Ａに実施させるために、利用者にスクリーンＳｃやプロジェクタ１Ａを設置させる必要がなく、利便性の向上が図れる。また、上述したように照明領域ＡＧの照度ムラを判定することで、プロジェクタ１Ａが設置された環境に依存せずに照明領域ＡＧの照度ムラを適切に判定できる。
【００６７】
ここで、ムラ判定処理部７４Ａは、偏差量算出部７４２Ａと、照度ムラ判定部７４３Ａとを備えているので、複数の受光素子８にて検出された照明領域ＡＧの各位置Ｐ３，Ｐ４での各光量の偏差量を算出し、偏差量と偏差量閾値とを比較することで照明領域ＡＧに照度ムラが生じているか否かを判定できる。このことにより、照明領域ＡＧに照度ムラが生じているか否かを高精度に判定でき、電流変動制御を不要に実施することなく、投影画像に生じる色ムラを低減できる。
【００６８】
なお、本発明は前述の実施形態に限定されるものではなく、本発明の目的を達成できる範囲での変形、改良等は本発明に含まれるものである。
前記各実施形態では、照明光学装置４１は、重畳レンズ４１２４を備え、重畳レンズ４１２４により光源装置４１１から射出された光束を液晶パネル４４２Ｒ，４４２Ｇ，４４２Ｂに結像させる構成を説明したが、これに限らない。照明光学装置４１として、重畳レンズ４１２４を省略した構成を採用してもよい。この際、第２レンズアレイ４１２２に、第１レンズアレイ４１２１にて分割された各部分光束を液晶パネル４４２Ｒ，４４２Ｇ，４４２Ｂに重畳させる機能を持たせる。
【００６９】
前記第１実施形態では、撮像装置６として、３ＣＣＤカメラを採用していたが、これに限らず、撮像した撮像画像に応じた信号（撮像情報）を出力するＭＯＳ(Metal Oxide Semiconductor)センサ等の撮像素子、投影画像のＸＹＺ値を計測しＸＹＺ値に応じた信号（撮像情報）を出力する色光センサ、投影画像のＸＹＺ値やＬａｂ値を読み取りＸＹＺ値やＬａｂ値に応じた信号（撮像情報）を出力る色彩計、投影画像のガンマ値を計測しガンマ値に応じた信号（撮像情報）を出力する計測装置、投影画像の色温度を計測し色温度に応じた信号（撮像情報）を出力する色温度メータ等の他の撮像装置を採用してもよい。
前記第２実施形態では、光束検出装置としてフォトダイオード等の受光素子８を採用したが、これに限らず、光量を検出可能とする構成であれば、いずれの構成でも構わない。例えば、光束検出装置として、前記第１実施形態と同様に、ＣＣＤや、ＭＯＳセンサ等の撮像素子や、照度計等を採用しても構わない。
【００７０】
前記各実施形態において、プロジェクタ１，１Ａの制御フローは、図１１や図１４に示す制御フローに限らない。例えば、前記各実施形態では、プロジェクタ１，１Ａの起動後、すなわち、電源がＯＮされた（処理Ｓ１）後に、処理Ｓ２〜Ｓ８、処理Ｓ２Ａ，Ｓ３Ａ，Ｓ４Ａ，Ｓ５〜Ｓ８を実施する構成としたが、これに限らず、例えば、利用者による操作部２の入力操作により、処理Ｓ２〜Ｓ８、処理Ｓ２Ａ，Ｓ３Ａ，Ｓ４Ａ，Ｓ５〜Ｓ８を実施する構成としても構わない。また、例えば、前記第１実施形態では、処理Ｓ２において白画像の投影画像を形成していたが、これに限らず、その他の階調、例えば、中間階調（グレー）の投影画像を形成する構成としても構わない。
【００７１】
前記各実施形態では、画像形成部４が平面視Ｌ字形状を有した構成を説明したが、これに限らず、例えば、平面視略Ｕ字形状を有した構成を採用してもよい。
前記各実施形態では、色分離光学装置４２は、赤、緑、青の３つの色光に分離していたが、これに限らず、２つの色光に分離する構成、４つ以上の色光に分離する構成を採用してもよい。この際、液晶パネルも色分離光学装置４２にて分離された色光の数に対応した数だけ設ける。
また、前記第２実施形態では、液晶パネルが液晶パネル４４２Ｒ，４４２Ｇ，４４２Ｂの３つ設けられ、投影画像に生じる色ムラを低減させる構成としていたが、これに限らず、液晶パネルを１つのみ設け（単板式）、投影画像に生じる照度ムラを低減させる構成としても構わない。
【００７２】
前記第１実施形態では、投影画像内の位置Ｐ１，Ｐ２の各色度座標Ｃ１，Ｃ２を算出していたが、これに限らず、投影画像内の３つ以上の各位置の各色度座標を算出する構成としても構わない。この場合には、３つ以上の各位置の各色度座標を算出し、前記各色度座標の各座標間距離のうち最大となる座標間距離と色ムラ閾値とを比較することで色ムラが生じているか否かを判定する。
【００７３】
前記第２実施形態では、照明領域ＡＧ内の位置Ｐ３，Ｐ４の各光量を検出していたが、これに限らず、照明領域ＡＧ内の３つ以上の各位置の各光量を算出する構成としても構わない。この場合には、３つ以上の各位置の各光量を算出し、前記各光量の各偏差量のうち最大となる偏差量と偏差量閾値とを比較することで照度ムラが生じているか否かを判定する。
【００７４】
前記各実施形態では、色ムラや照度ムラが生じている場合に、始めに再点灯制御を実施する構成としたが、これに限らず、再点灯制御を実施せずに電流変動制御を実施する構成としても構わない。
【００７５】
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、液晶以外の光変調装置を用いてもよい。
前記各実施形態では、スクリーンを観察する方向から投射を行なうフロントタイプのプロジェクタの例のみを挙げたが、本発明は、スクリーンを観察する方向とは反対側から投射を行なうリアタイプのプロジェクタにも適用可能である。
【００７６】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００７７】
本発明は、アークの位置が変動した場合であっても投影画像の画像品位を維持できるため、プレゼンテーションやホームシアタ等にて用いられるプロジェクタとして利用できる。
【図面の簡単な説明】
【００７８】
【図１】第１実施形態におけるプロジェクタの概略構成を示すブロック図。
【図２】前記実施形態における画像形成部の概略構成を示す平面図。
【図３】前記実施形態における均一照明光学系による光の結像状態を示す図。
【図４】前記実施形態における均一照明光学系により重畳された照明領域を示す図。
【図５】前記実施形態における光源ランプから射出され主反射鏡を介して第１レンズアレイに飲み込まれるアーク像の状態の一例を示す図。
【図６】前記実施形態におけるアークのずれ量、投影画像における左右位置の照度比、および投影画像に生じる色ムラの関係の一例を示す図。
【図７】図６の関係を説明するための図。
【図８】図６の関係に基づいてアークのずれ量および投影画像に生じる色ムラの関係をグラフ化した図。
【図９】前記実施形態における色ムラ値の算出方法を説明するための図。
【図１０】前記実施形態における電流変動制御を実施した後での光源ランプから射出され主反射鏡を介して第１レンズアレイに飲み込まれるアーク像の状態の一例を示す図。
【図１１】前記実施形態におけるプロジェクタの制御方法を説明するフローチャート。
【図１２】第２実施形態におけるプロジェクタの概略構成を示すブロック図。
【図１３】前記実施形態における画像形成部における複数の受光素子の配設位置を説明するための図。
【図１４】前記実施形態におけるプロジェクタの制御方法を説明するフローチャート。
【符号の説明】
【００７９】
１，１Ａ・・・プロジェクタ、５・・・点灯装置、６・・・撮像装置、７，７Ａ・・・制御装置、８・・・受光素子（光束検出装置）、４１・・・照明光学装置、４２・・・色分離光学装置、４５・・・投射光学系（投射光学装置）、７４，７４Ａ・・・ムラ判定処理部、７５・・再点灯回数計測部、４１１・・・光源装置、４１２・・・均一照明光学系、４４２Ｒ，４４２Ｇ，４４２Ｂ・・・液晶パネル（光変調装置）、４４３・・・クロスダイクロイックプリズム（色合成光学装置）、７４１・・・色度座標算出部、７４２・・・座標間距離算出部、７４２Ａ・・・偏差量算出部、７４３・・・色ムラ判定部、７４３Ａ・・・照度ムラ判定部、７６１・・・電流変動制御部、７６２・・・再点灯制御部、４１１１Ａ・・・電極、４１２１・・・第１レンズアレイ、４１２２・・・第２レンズアレイ、４１２４・・・重畳レンズ、Ａｒ・・・画像形成領域、Ｄｓ・・・座標間距離、Ｌ１，Ｌ２，Ｌ３・・・レンズ要素、Ｓ４・・・色ムラ判定ステップ、Ｓ４Ａ・・・照度ムラ判定ステップ、Ｓ８・・・電流変動制御ステップ。
【図１】
2007240600.tif 000003
【図２】
2007240600.tif 000004
【図３】
2007240600.tif 000005
【図４】
2007240600.tif 000006
【図５】
2007240600.tif 000007
【図６】
2007240600.tif 000008
【図７】
2007240600.tif 000009
【図８】
2007240600.tif 000010
【図９】
2007240600.tif 000011
【図１０】
2007240600.tif 000012
【図１１】
2007240600.tif 000013
【図１２】
2007240600.tif 000014
【図１３】
2007240600.tif 000015
【図１４】
2007240600.tif 000016